(57)【要約】【課題】光源照射角度が向上し、投光範囲が広がる光源装置を提供する。【解決手段】光源装置は、基本的に反射片、第一光源ユニット，及び第二光源ユニットから構成される。そのうち、反射片は上向きの外へ張り出した反射リングを備え、反射リングの中心箇所には透光丸孔を設置する。第一、第二光源ユニットは、透光丸孔の中間箇所及び反射リング下方箇所にそれぞれ設置した複数の発光ダイオードから構成される。第一光源ユニットが発した光源は、透光丸孔を経由して上向きに照射され、第二光源ユニットが発した光源は反射リングの下環状面で反射して反射リングの外周に対して照射する。【選択図】図１
0003158378.tif 000002
【実用新案登録請求の範囲】
【請求項１】
光源装置において、
上向きの外に張り出した反射リングを備え、該反射リングの中心箇所に透光丸孔を設置する反射片と
該透光丸孔の下方箇所に複数の発光ダイオードをそれぞれ設置して構成する第一光源ユニットと、
該反射リングの下方箇所に複数の発光ダイオードをそれぞれ設置して構成する第二光源ユニットを含むことを特徴とする光源装置。
【請求項２】
前記反射リングは、直線形状、もしくは円弧形状の傾斜張り出しであることを特徴とする請求項１記載の光源装置。
【請求項３】
光源装置において、
上向きの外に張り出した反射リングを備え、該反射リングの中心箇所に透光丸孔を設置する反射片と
該透光丸孔の下方箇所に複数の発光ダイオードをそれぞれ設置して構成する第一光源ユニットと、
該反射リングの下方箇所に複数の発光ダイオードをそれぞれ設置して構成する第二光源ユニットと、
該反射片及び該第一、第二光源ユニットを乗せた発光ダイオードの基板と、
該基板を乗せるライト筐体と、
該ライト筐体最上端の開口箇所に被せ、該反射片、該第一、第二光源ユニット及び該基板に対応して遮蔽作用を備える透光カバーを含むことを特徴とする光源装置。
【請求項４】
前記基板は、可由相對第二光源ユニット箇所に相対して両外側向きに反射部が伸びることを特徴とする請求項３記載の光源装置。
【考案の詳細な説明】
【技術分野】
【０００１】
本考案は、発光ダイオードを利用した光源装置に関するもので、特に発光ダイオードを利用した発光源により、光源照射角度が向上する光源装置に係わる。
【背景技術】
【０００２】
全世界において、各国では将来的に白熱電球の使用を禁止する政策が徐々に出てきており、現在、最も理想的な方法は発光ダイオード(LED)を利用した光源と言える。発光ダイオード(LED)は効率が高く、省エネで光調節性に優れているため、照明市場に於いて主流になりつつあり、それは街路灯、カーライト、戸外照明、ムード照明等にも応用されている。
【０００３】
現在、既に発光ダイオード(LED)を利用した発光源の電球もしくは発光装置は、一般の白熱電球の形態を採用している。類似の公知の発光装置もしくは電球は下端に外ネジ紋の接合形状が形成されているため、ライト台と対応設置する内ネジ紋と簡単に接合できる。
【０００４】
しかしながら、該電球もしくは発光装置は明かりをつけた時、発光源の発光ダイオード光源は直射光であるため、電球もしくは発光装置が発生する光源は発光ダイオードに向くエリアだけを照射し、発光ダイオードの外周に対しては照射できない。そのため、発光ダイオード光源の照射角度もしくは投光範囲に対し、良好な設計及び規格ができていないため、例え発光ダイオードの効率を高めるか、もしくは発光ダイオードの数量を増やしても発光ダイオード光源装置の照射角度不足の課題を解決することができない。
【考案の概要】
【考案が解決しようとする課題】
【０００５】
解決しようとする問題点は、発光ダイオードの照射角度が不足している点である。
【課題を解決するための手段】
【０００６】
本考案は、基本的に反射片、第一光源ユニット，及び第二光源ユニットから構成される。そのうち、反射片は上向きの外へ張り出した反射リングを備え、反射リングの中心箇所には透光丸孔を設置する。第一、第二光源ユニットは、透光丸孔の中間箇所及び反射リング下方箇所にそれぞれ設置した複数の発光ダイオードから構成される。第一光源ユニットが発した光源は、透光丸孔を経由して上向きに照射され、第二光源ユニットが発した光源は反射リングの下環状面で反射して反射リングの外周に対して照射することを最も主要な特徴とする。
【考案の効果】
【０００７】
本考案の光源装置は、光源照射角度が向上し、投光範囲が広がるという利点がある。
【図面の簡単な説明】
【０００８】
【図１】本考案の光源装置の構造断面図である。
【図２】本考案光源装置の構造分解図である。
【図３】本考案の光源装置の光源照射方向指示図である。
【図４】本考案の本考案光源装置の別の一実施例の構造指示図である。
【図５】本考案の光源装置の別の一実施例の構造指示図である。
【考案を実施するための形態】
【０００９】
本考案は、在提供一種利用発光ダイオードを利用して発光源とし、光源照射角度を向上させる光源装置を提供することを本考案の主な目的とする。
【００１０】
上述の目的のため、本考案の光源装置は、基本的に反射片、第一光源ユニット，及び第二光源ユニットから構成される。そのうち、該反射片は上向きで外に張り出した反射リングを備え、反射リングの中心箇所には透光丸孔を設置する。該第一光源ユニットは透光丸孔の中間箇所にそれぞれ複数の発光ダイオードで構成し、該第二光源ユニットは、反射リング下方箇所にそれぞれ複数の発光ダイオードで構成する。
【００１１】
使用時、該第一光源ユニットが発した主な光源は、透光丸孔を通って上向きに照射し、周囲の余った光は反射リングの上環状面経由で反射し、透光丸孔の外周のエリアに向けて照射する。該第二光源ユニットが発した光源は反射リングの下環状面へ向かって照射し、反射リングの下環状面で反射して反射リングの外周へ向けて照射し、光源照射角度を向上させ、投光範囲を広げる目的を達成する。
【実施例】
【００１２】
図１及び図２に示すとおり、本考案の光源装置は基本的に反射片１０、第一光源ユニット２０，及び第二光源ユニット３０を含む。そのうち、
【００１３】
該反射片１０は、上向きで斜めに張り出した反射リング１１で、該反射リングの中心箇所には透光丸孔１２を形成し、該反射リング１１の上環状面１１１及び下環状面１１２には反射システムを形成する。
【００１４】
該第一光源ユニット２０は、該透光丸孔１２中間箇所にそれぞれ設置した複数の発光ダイオード２１から構成される。該第二光源ユニット３０は、該反射リング１１下方箇所に設置した複数の発光ダイオード３１から構成される。
【００１５】
具体的に実施するに際し、本考案の光源装置は、基板４０を備え、そこには該反射片１０及び該第一、第二光源ユニット２０、３０を乗せた発光ダイオード２１、３１である。該基板４０は、プリント回路板とする。他にライト筐体５０を備え、そこに該基板４０を乗せる。該ライト筐体５０の内部には電源転換モジュール(図省略)を納置する。該ライト筐体５０外部は放熱フィン５１を複数設置し、及び該ライト筐体５０の底端には外ネジ紋形式のネジ接続ヘッド５２もしくは差込脚形式の差込ヘッド(図省略)を設置して市場に販売されている電球台に接合する。
【００１６】
更に光源装置全体には別に透光カバー６０を備え、それを該ライト筐体５０最上端の開口箇所に被せ、該反射片１０、該第一、第二光源ユニット及び該基板４０に対して遮蔽する作用を備え、且つ光線投射効果を改善するのに用いる。
【００１７】
図３に示すとおり、本考案の光源装置は使用する時、該第一光源ユニット２０が発した主な光源は透光丸孔１２を通過して上向きに照射し、該第一光源ユニット２０周囲の余った光は該反射リング１１の上環状面１１１に反射して該透光丸孔１２の外周エリアに向けて照射する。また該第二光源ユニット３０が発した光源は該反射リング１１の下環状面１１２を照射し、該反射リング１１の下環状面１１２の反射作用によって該反射リング１１外周及び下方のエリアを照射するか、もしくは一部の光源が該反射リング１１の下環状面１１２を経由して初めに反射した後、下方向きにライト筐体５０へ入射し、次にライト筐体５０で二回目の反射をして該反射リング１１外周エリアへ照射し、光源全体の照射角度を含む照射範囲を大きくして光源照射角度及び投光範囲を広げる目的を達成する。
【００１８】
勿論、上述の実施例に於いて、該反射リング１１は、反射片１０から上向きに直線状に張り出してもよく、また図４、図５に示す実施例のように、該反射リング１１が反射片１０から上向きに円弧傾斜で張り出し、且つ該基板４０が亦可由相對第二光源ユニット３０箇所に対応して両外側向きに反射部４１を伸ばしてもよく、更に下環状面１１２で第一回の反射をした後、入射した光線を第二回目に反射してもよい。
【００１９】
上述に示すとおり、本考案は実行可能な光源装置を提供し、法に基づき、実用新案登録を申請する。本考案の技術内容及び技術特徴は上に示すとおりであるが、当領域に習熟した者が本考案の提示に基づいて各種の本考案精神から乖離しない入替、修飾を行うかもしれない。拠って、本考案の保護範囲は実施例に制限されず、本考案に乖離しない各種の入替及び修飾を含み、それらを以下の請求範囲に含む。
【符号の説明】
【００２０】
１０        反射片
１１        反射リング
１１１      上環状面
１１２      下環状面
１２        透光丸孔
２０        第一光源ユニット
２１        発光ダイオード
３０        第二光源ユニット
３１        発光ダイオード
４０        基板
４１        反射部
５０        ライト筐体
５１        放熱フィン
５２        ネジ接続ヘッド
６０        透光カバー
【図１】
0003158378.tif 000003
【図２】
0003158378.tif 000004
【図３】
0003158378.tif 000005
【図４】
0003158378.tif 000006
【図５】
0003158378.tif 000007
【手続補正書】
【提出日】平成22年1月27日(2010.1.27)
【手続補正１】
【補正対象書類名】明細書
【補正対象項目名】００１８
【補正方法】変更
【補正の内容】
【００１８】
勿論、上述の実施例に於いて、該反射リング１１は、反射片１０から上向きに直線状に張り出してもよく、また図４、図５に示す実施例のように、該反射リング１１が反射片１０から上向きに円弧傾斜で張り出し、且つ該基板４０が第二光源ユニット３０箇所に対応して両外側向きに反射部４１を伸ばしてもよく、更に下環状面１１２で第一回の反射をした後、入射した光線を第二回目に反射してもよい。
【手続補正２】
【補正対象書類名】実用新案登録請求の範囲
【補正対象項目名】請求項４
【補正方法】変更
【補正の内容】
【請求項４】
前記基板は、第二光源ユニット箇所に相対して両外側向きに反射部が伸びることを特徴とする請求項３記載の光源装置。